(57)【要約】【課題】  タッチパネルの限られた表示領域に、利用者に対してわかりやすい状態で効率よく行先階指定ボタンの情報を表示させるエレベータの呼び登録装置およびエレベータの呼び登録画面表示方法を提供する。【解決手段】  エレベータの呼び登録装置は、タッチパネルと表示情報生成部とを備える。表示情報生成部は、タッチパネルに表示させる表示情報として、建物内の複数階床が分類された各階床群に対応する複数のタブ情報と、複数のタブ情報の中の１つに対応する階床群に含まれる階床ごとに設けられた行先階指定ボタンと、付加情報を表示させる付加情報エリアとを有する呼び登録画面情報を生成し、表示された呼び登録画面上で現在表示されている行先階指定ボタンに対応するタブ情報と異なるタブ情報が指定されると、当該指定されたタブ情報に対応する階床群に含まれる階床ごとの行先階指定ボタンを表示させるように、呼び登録画面情報を更新する。【選択図】図１
2019001554.tif 000002
【特許請求の範囲】
【請求項１】
タッチパネルと、
前記タッチパネルに表示させる表示情報として、建物内の複数階床が分類された各階床群に対応する複数のタブ情報と、前記複数のタブ情報の中の１つに対応する階床群に含まれる階床ごとに設けられ、それぞれ該当する階床の呼びを登録するための行先階指定ボタンと、付加情報を表示させる付加情報エリアとを有する呼び登録画面情報を生成し、
前記タッチパネルに表示された呼び登録画面上で、現在表示されている行先階指定ボタンに対応するタブ情報と異なるタブ情報が指定されたことを検出すると、当該指定されたタブ情報に対応する階床群に含まれる階床ごとの行先階指定ボタンを表示させるように、前記呼び登録画面情報を更新する表示情報生成部と
を備えることを特徴とするエレベータの呼び登録装置。
【請求項２】
前記表示情報生成部は、前記タッチパネルに表示された呼び登録画面上で行先階指定ボタンが操作されたことにより呼びが登録された階床があるときには、当該登録された階床の情報を、前記付加情報エリアの領域を縮小して表示させるように呼び登録画面情報を生成する
ことを特徴とする請求項１に記載のエレベータの呼び登録装置。
【請求項３】
前記表示情報生成部は、現在行先階指定ボタンが表示されていない階床で、呼びが登録された階床の情報を表示させるように呼び登録画面情報を生成する
ことを特徴とする請求項２に記載のエレベータの呼び登録装置。
【請求項４】
前記表示情報生成部は、現在行先階指定ボタンが表示されていない階床で、呼びが登録された階床の情報を表示させるように生成した呼び登録画面情報上で所定の操作が行われると、登録された呼びに関する情報を削除して前記付加情報エリアを拡大するように呼び登録画面情報を更新する
ことを特徴とする請求項３に記載のエレベータの呼び登録装置。
【請求項５】
前記表示情報生成部は、現在行先階指定ボタンが表示されていない階床で、呼びが登録された階床の表示情報が操作されると、操作された表示情報に対応する階床を含む階床群の行先階指定ボタンを表示させるように呼び登録画面情報を更新する
ことを特徴とする請求項３または４に記載のエレベータの呼び登録装置。
【請求項６】
前記表示情報生成部は、所定時間帯には、前記付加情報エリアの領域を縮小させて、表示させる行先階指定ボタンの数を増やして呼び登録画面情報を生成する
ことを特徴とする請求項１〜５いずれか１項に記載のエレベータの呼び登録装置。
【請求項７】
タッチパネルに、建物内の複数階床が分類された各階床群に対応する複数のタブ情報と、前記複数のタブ情報の中の１つに対応する階床群に含まれる階床ごとに設けられ、それぞれ該当する階床の呼びを登録するための行先階指定ボタンと、付加情報を表示させる付加情報エリアとを有する呼び登録画面情報を表示させ、
前記タッチパネルに表示された呼び登録画面上で、現在表示されている行先階指定ボタンに対応するタブ情報と異なるタブ情報が指定されたことを検出すると、当該指定されたタブ情報に対応する階床群に含まれる階床ごとの行先階指定ボタンを表示させるように、前記呼び登録画面情報を更新する
ことを特徴とするエレベータの呼び登録画面表示方法。
【発明の詳細な説明】
【技術分野】
【０００１】
本発明の実施形態は、エレベータの呼び登録装置およびエレベータの呼び登録画面表示方法に関する。
【背景技術】
【０００２】
従来、エレベータのかご内には、行先階を登録するための呼び登録装置が設置されている。この呼び登録装置には各階床に対応した行先階指定ボタンが設置されており、利用者は所望の行先階のボタンを操作することで、当該行先階に移動するためのかご呼びを登録することができる。
【先行技術文献】
【特許文献】
【０００３】
【特許文献１】ＷＯ２００５／１０５６４３
【特許文献２】ＷＯ２００５／０７７８０３
【発明の概要】
【発明が解決しようとする課題】
【０００４】
近年は、呼び登録装置をタッチパネルで構成し、行先階指定ボタンの情報以外にも、既に登録されている階床を報知する情報、各フロアに関する情報や広告などの付加情報の表示を可能にしたものがある。
【０００５】
しかし、高層ビルに設置されたエレベータでは行先階指定ボタンの数が多くなり、表示領域が限られたタッチパネルにおいてすべての階床に対応する行先階指定ボタンを表示させることが困難になるという問題があった。
【０００６】
本発明は上記事情に鑑みてなされたものであり、タッチパネルの限られた表示領域に、利用者に対してわかりやすい状態で効率よく、行先階指定ボタンの情報を表示させるエレベータの呼び登録装置およびエレベータの呼び登録画面表示方法の提供を目的とする。
【課題を解決するための手段】
【０００７】
上記目的を達成するための実施形態によればエレベータの呼び登録装置は、タッチパネルと表示情報生成部とを備える。表示情報生成部は、タッチパネルに表示させる表示情報として、建物内の複数階床が分類された各階床群に対応する複数のタブ情報と、複数のタブ情報の中の１つに対応する階床群に含まれる階床ごとに設けられた行先階指定ボタンと、付加情報を表示させる付加情報エリアとを有する呼び登録画面情報を生成し、表示された呼び登録画面上で、現在表示されている行先階指定ボタンに対応するタブ情報と異なるタブ情報が指定されると、当該指定されたタブ情報に対応する階床群に含まれる階床ごとの行先階指定ボタンを表示させるように、呼び登録画面情報を更新する。
【図面の簡単な説明】
【０００８】
【図１】一実施形態によるエレベータの呼び登録装置の構成を示すブロック図。
【図２】一実施形態によるエレベータの呼び登録装置の動作を示すフローチャート。
【図３】一実施形態によるエレベータの呼び登録装置に表示された、（ａ）初期の呼び登録画面、（ｂ）呼びが登録されたときの呼び登録画面、（ｃ）異なるタブ情報が操作されたときの呼び登録画面、（ｄ）付加情報エリアが操作されたときの呼び登録画面の一例。
【図４】一実施形態によるエレベータの呼び登録装置に表示された、利用者が多い時間帯の呼び登録画面の一例。
【発明を実施するための形態】
【０００９】
〈一実施形態によるエレベータの呼び登録装置の構成〉
本発明の一実施形態によるエレベータの呼び登録装置１の構成を、図１を参照して説明する。本実施形態による呼び登録装置１は、例えば乗りかご内に設置されてエレベータ制御盤２に接続され、タッチパネル１０と、操作情報検出部２０と、送受信部３０と、表示情報生成部４０とを有する。
【００１０】
タッチパネル１０は、表示情報生成部４０で生成される表示情報を表示し、また、表示した情報に基づくエレベータ利用者によるタッチ操作を入力する。操作情報検出部２０は、利用者によりタッチパネル１０から入力された利用者の操作情報を検出する。送受信部３０は、エレベータ制御盤２との間で情報の送受信を行う。表示情報生成部４０は、操作情報検出部２０で検出された操作情報およびエレベータ制御盤２から受信した情報に基づいて、タッチパネル１０に表示させる表示情報を生成する。
【００１１】
〈一実施形態によるエレベータの呼び登録装置の動作〉
本実施形態によるエレベータの呼び登録装置１において、利用者によりタッチパネル１０が操作されることにより切り替わるタッチパネル１０の表示情報の遷移について、図２のフローチャートおよび、図３、４の画面構成図を参照して説明する。本実施形態の呼び登録装置１は、２４階建ての高層ビルに設置されたエレベータの乗りかごに設置されている。
【００１２】
まず、当該エレベータの利用者がおらず呼びが登録されていない初期状態のときに、表示情報生成部４０により初期の呼び登録画面の表示情報が生成され、図３（ａ）に示すように、タッチパネル１０に表示される（Ｓ１）。図３（ａ）の初期の呼び登録画面には、建物内の２４階床が分類された１〜８階の階床群、９〜１６階の階床群、および１７〜２４階の階床群のそれぞれに対応するタブ情報１１、１２、および１３が表示されている。また、当該呼び登録画面には、これら３つのタブ情報の中の１つのタブ情報１１に対応する階床群である１階〜８階に対して設けられ、それぞれ該当する階床の呼びを登録するための行先階指定ボタン１０１〜１０８が表示されている。また、当該呼び登録画面には、各フロアに関する情報や広告などの付加情報を表示させる付加情報エリア１０ａが表示されている。
【００１３】
当該エレベータの乗りかごに複数の利用者が乗り込み、それぞれ行先階として、既に表示されている３階の行先階指定ボタン１０３、６階の行先階指定ボタン１０６、および７階の行先階指定ボタン１０７をタッチ操作すると、当該操作情報が操作情報検出部２０で検出され（Ｓ２の「YES」）、送受信部３０からエレベータ制御盤２に送信される（Ｓ３）。行先階指定ボタンの操作情報が送信されたことによりエレベータ制御盤２に３階、６階、および７階のかご呼びが登録されると、当該かご呼び登録の情報がエレベータ制御盤２から呼び登録装置１に送信される。
【００１４】
呼び登録装置１では、エレベータ制御盤２から送信されたかご呼び登録の情報が送受信部３０で受信され、表示情報生成部４０に送出される（Ｓ４）。表示情報生成部４０では、取得されたかご呼び登録の情報に基づいて、かご呼びが登録された３階、６階、および７階の行先階指定ボタン１０３、１０６、および１０７を点灯させるように、呼び登録画面の表示情報が更新される。表示情報が更新されたことにより、図３（ｂ）に示すように、タッチパネル１０に表示された呼び登録画面上の行先階指定ボタン１０３、１０６、および１０７に対応するエリアが点灯する（Ｓ５）。図３（ｂ）以降において、点灯している行先階指定ボタンを太線枠で示す。
【００１５】
次に、利用者が行先階として２０階を登録するために、タッチパネル１０に表示された呼び登録画面上で１７〜２４階に対応したタブ情報１３をタッチ操作すると、当該操作情報が操作情報検出部２０で検出される。このタブ情報１３は、現在表示されている行先階指定ボタン１０１〜１０８に対応するタブ情報１１と異なる（Ｓ６の「YES」）。そのため、表示情報生成部４０により、当該タッチ操作により指定されたタブ情報１３に対応する階床群に含まれる１７〜２４階それぞれの行先階指定ボタン１１７〜１２４を表示させるように、呼び登録画面の表示情報が更新される。
【００１６】
このとき、更新後に行先階指定ボタンが表示されない階床１〜１６階で、かご呼びが登録されている階床の情報を、付加情報エリア１０ａの領域を縮小させることで確保される領域に表示するように更新される。表示情報が更新されたことにより、タッチパネル１０に表示された呼び登録画面は、図３（ｃ）に示すように、１７〜２４階の行先階指定ボタン１１７〜１２４と、１７〜２４階以外でかご呼びが登録されている３階、６階、７階を示す表示情報１０３ｂ、１０６ｂ、および１０７ｂと、縮小された付加情報エリア１０ａとが表示されるように切り替えられる（Ｓ７）。
【００１７】
このように呼び登録画面が表示されることにより、行先階指定ボタンが表示されている階床に関するかご呼び登録の情報は、当該行先階指定ボタンを点灯させることで報知され、現在行先階指定ボタンが表示されていない階床に関するかご呼び登録に関してのみ、付加情報エリア１０ａを縮小させて表示させる新たな情報で報知されるため、付加情報エリア１０ａをなるべく縮小しないようにしつつ、利用者にかご呼び登録階を確実に報知することができる。
【００１８】
その後、登録されたかご呼びに対するエレベータの応答が行われ、処理が完了すると（Ｓ８の「YES」）、該当する階床を示す表示情報が、呼び登録画面から削除されるように更新される（Ｓ９）。
【００１９】
上述した実施形態において、図３（ｃ）のように呼び登録画面が表示されているときに、利用者により所定の操作（例えば付加情報エリアａ内をタッチする操作）が行われることにより、１７〜２４階以外でかご呼びが登録されている階を示す表示情報１０３ｂ、１０６ｂ、および１０７ｂを削除するように、呼び登録画面を更新してもよい。これらの情報が削除されることにより、図３（ｄ）に示すように、１７〜２４階の行先階指定ボタン１１７〜１２４と、付加情報エリア１０ａとのみが表示されるように切り替えられ、付加情報エリア１０ａを拡大することができる。
【００２０】
また、上述した実施形態において、図３（ｃ）のように呼び登録画面が表示されているときに、行先階指定ボタンが表示されていない階でかご呼びが登録されている階として表示されている表示情報１０３ｂ、１０６ｂ、または１０７ｂのいずれかが利用者により操作されると、図３（ａ）のように、該当する階床を含む階床群の行先階指定ボタン１０１〜１０８が表示されるように、呼び登録画面を更新してもよい。図３（ａ）においては、現在行先階指定ボタンが表示されていない階床に関するかご呼び登録はないため、付加情報エリア１０ａが拡大されて表示される。
【００２１】
また、上述した実施形態において、通勤時間帯など、利用者が多くかご呼び登録が多く発生する時間帯には、呼び登録画面において、付加情報エリア１０ａの領域を縮小させ、行先階指定ボタンの数を通常よりも増やして表示させるようにしてもよい。例えば、図４に示すように、１つのタブ情報１４に対して分類する階床を上述した実施形態よりも多くして１〜１６階とし、これに対応して表示される１６個の行先階指定ボタン１０１〜１１６を２列で表示させる。このように呼び登録画面を切り替えることで、利用者の利便性を高くしつつ、可能な範囲で付加情報を表示させることができる。
【００２２】
また、上述した実施形態では、呼び登録装置が乗りかご内に設置された場合について説明したが、これには限定されず、乗場に設置して乗場で行先階を指定できるようにしてもよい。また、当該呼び登録装置の機能を実行させるアプリケーションを利用者の携帯端末に搭載して、当該携帯端末を呼び登録装置として用いるようにしてもよい。
【００２３】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００２４】
１…呼び登録装置、２…エレベータ制御盤、１０…タッチパネル、１０ａ…付加情報エリア、１１〜１３…タブ情報、２０…操作情報検出部、３０…送受信部、４０…表示情報生成部、１０１〜１２４…行先階指定ボタン、１０３ｂ，１０６ｂ，１０７ｂ…表示情報
【図１】
2019001554.tif 000003
【図２】
2019001554.tif 000004
【図３】
2019001554.tif 000005
【図４】
2019001554.tif 000006
【手続補正書】
【提出日】平成30年4月5日(2018.4.5)
【手続補正１】
【補正対象書類名】特許請求の範囲
【補正対象項目名】全文
【補正方法】変更
【補正の内容】
【特許請求の範囲】
【請求項１】
タッチパネルと、
前記タッチパネルに表示させる表示情報として、建物内の複数階床が分類された各階床群に対応する複数のタブ情報と、前記複数のタブ情報の中の１つに対応する階床群に含まれる階床ごとに設けられ、それぞれ該当する階床の呼びを登録するための行先階指定ボタンと、付加情報を表示させる付加情報エリアとを有する呼び登録画面情報を生成し、
前記タッチパネルに表示された呼び登録画面上で、現在表示されている行先階指定ボタンに対応するタブ情報と異なるタブ情報が指定されたことを検出すると、当該指定されたタブ情報に対応する階床群に含まれる階床ごとの行先階指定ボタンを表示させるように、前記呼び登録画面情報を更新し、
前記タッチパネルに表示された呼び登録画面上で行先階指定ボタンが操作され、該当する階床の呼びが登録されると、前記付加情報エリアの領域を縮小して、当該呼びが登録された階床の情報を表示させるように呼び登録画面情報を更新する表示情報生成部と
を備えることを特徴とするエレベータの呼び登録装置。
【請求項２】
前記表示情報生成部は、現在行先階指定ボタンが表示されていない階床で、呼びが登録された階床の情報を表示させるように呼び登録画面情報を生成する
ことを特徴とする請求項１に記載のエレベータの呼び登録装置。
【請求項３】
前記表示情報生成部は、現在行先階指定ボタンが表示されていない階床で、呼びが登録された階床の情報を表示させるように生成した呼び登録画面情報上で所定の操作が行われると、当該呼びが登録された階床の情報を削除して前記付加情報エリアを拡大するように呼び登録画面情報を更新する
ことを特徴とする請求項２に記載のエレベータの呼び登録装置。
【請求項４】
前記表示情報生成部は、現在行先階指定ボタンが表示されていない階床で、呼びが登録された階床の表示情報が操作されると、操作された表示情報に対応する階床を含む階床群の行先階指定ボタンを表示させるように呼び登録画面情報を更新する
ことを特徴とする請求項２または３に記載のエレベータの呼び登録装置。
【請求項５】
前記表示情報生成部は、所定時間帯には、前記付加情報エリアの領域を縮小させて、表示させる行先階指定ボタンの数を増やして呼び登録画面情報を生成する
ことを特徴とする請求項１〜４いずれか１項に記載のエレベータの呼び登録装置。
【請求項６】
タッチパネルに、建物内の複数階床が分類された各階床群に対応する複数のタブ情報と、前記複数のタブ情報の中の１つに対応する階床群に含まれる階床ごとに設けられ、それぞれ該当する階床の呼びを登録するための行先階指定ボタンと、付加情報を表示させる付加情報エリアとを有する呼び登録画面情報を表示させ、
前記タッチパネルに表示された呼び登録画面上で、現在表示されている行先階指定ボタンに対応するタブ情報と異なるタブ情報が指定されたことを検出すると、当該指定されたタブ情報に対応する階床群に含まれる階床ごとの行先階指定ボタンを表示させるように、前記呼び登録画面情報を更新し、
前記タッチパネルに表示された呼び登録画面上で行先階指定ボタンが操作され、該当する階床の呼びが登録されると、前記付加情報エリアの領域を縮小して、当該呼びが登録された階床の情報を表示させるように呼び登録画面情報を更新する
ことを特徴とするエレベータの呼び登録画面表示方法。
【手続補正２】
【補正対象書類名】明細書
【補正対象項目名】０００７
【補正方法】変更
【補正の内容】
【０００７】
上記目的を達成するための実施形態によればエレベータの呼び登録装置は、タッチパネルと表示情報生成部とを備える。表示情報生成部は、タッチパネルに表示させる表示情報として、建物内の複数階床が分類された各階床群に対応する複数のタブ情報と、複数のタブ情報の中の１つに対応する階床群に含まれる階床ごとに設けられた行先階指定ボタンと、付加情報を表示させる付加情報エリアとを有する呼び登録画面情報を生成し、表示された呼び登録画面上で、現在表示されている行先階指定ボタンに対応するタブ情報と異なるタブ情報が指定されると、当該指定されたタブ情報に対応する階床群に含まれる階床ごとの行先階指定ボタンを表示させるように、呼び登録画面情報を更新する。また、表示情報生成部は、タッチパネルに表示された呼び登録画面上で行先階指定ボタンが操作され、該当する階床の呼びが登録されると、付加情報エリアの領域を縮小して、当該呼びが登録された階床の情報を表示させるように呼び登録画面情報を更新する。